(57)【特許請求の範囲】
【請求項１】
常灯用の白色照明用ランプとドアが開いているときにオンされるドアスイッチに基づき点灯可能な有色照明用ランプとをカバーレンズ付きのケース内に有し、前記白色照明用ランプが前記有色照明用ランプよりも前記カバーレンズに近付けて配置されているルームランプの点灯装置。
【請求項２】
常灯用の白色照明用ランプとドアが開いているときにオンされるドアスイッチに基づき点灯可能な有色照明用ランプとをカバーレンズ付きのケース内に有し、前記白色照明用ランプと前記有色照明用ランプとの間に遮光板が設けられているルームランプの点灯装置。
【発明の詳細な説明】
【０００１】
【発明の属する技術分野】
本発明は、常灯用の白色照明用ランプとドアが開いているときに点灯可能な有色照明用ランプとを有するルームランプの点灯装置に関する。
【０００２】
【従来の技術】
従来から、ルームランプの点灯装置には、カバーレンズ付きのケース内に１個の白色照明用ランプを設け、ランプスイッチの常灯側で白色照明用ランプが常灯状態となり、ランプスイッチのドア側でドアが開いているときにのみ点灯状態となる構成のものが知られている。
【０００３】
【発明が解決しようとする課題】
しかしながら、この従来のルームランプの点灯装置は、照明ランプが１個のみでしかもその照明色が白色であるので、白色用照明ランプがドアが開いていることにより点灯しているのか、ドアが閉まっていて点灯状態となっているのか、即座に識別し難く、そこで、ルームランプを二灯式としてドアの開閉に伴う照明色と常灯時の照明色とを異ならせる構成が考えられている。
【０００４】
このようにルームランプを二灯式としてドアの開閉に伴う照明色と常灯時の照明色とを異ならせることにすると、ドアの開閉に伴う照明色と常灯時の照明色とで変化を与えることができて望ましいのであるが、白色用照明ランプによる照明光が有色照明用ランプに当り、白色照明用ランプの照明光が有色照明用ランプにより着色されるという不都合が生じる。
【０００５】
本発明は、上記の事情に鑑みて為されたもので、その目的は、常灯用の白色照明用ランプとドアが開いているときにオンされるドアスイッチに基づき点灯可能な有色照明用ランプとをカバーレンズ付きのケース内に設ける構成とした際、白色照明用ランプの照明光が極力有色照明用ランプにより着色されないようにしたルームランプの点灯装置を提供することにある。
【０００６】
【課題を解決するための手段】
本発明の請求項１に記載のルームランプの点灯装置は、上記の課題を解決するため、常灯用の白色照明用ランプとドアが開いているときにオンされるドアスイッチに基づき点灯可能な有色照明用ランプとをカバーレンズ付きのケース内に有し、前記白色照明用ランプが前記有色照明用ランプよりも前記カバーレンズに近付けて配置されている。
【０００７】
本発明の請求項２に記載のルームランプの点灯装置は、上記の課題を解決するため、常灯用の白色照明用ランプとドアが開いているときにオンされるドアスイッチに基づき点灯可能な有色照明用ランプとをカバーレンズ付きのケース内に有し、前記白色照明用ランプと前記有色照明用ランプとの間に遮光板が設けられている。
【０００８】
【発明の実施の形態】
以下、この発明の実施の形態を図面に基づいて説明する。
【０００９】
【発明の実施の形態１】
図１は本発明に係わるルームランプの点灯装置の発明の実施の形態１を示し、その図１（ａ）ないし図１（ｃ）において、１は白色照明用ランプ、２は有色照明用ランプである。この白色用照明ランプ１、有色照明用ランプ２はケース３内に配設されている。白色用照明ランプ１は読書等の際に用いられ、有色照明用ランプ２はドア開時の足元照明等に用いられ、有色照明用ランプ２の照明色としてはグリーン、ブルー等が望ましい。
【００１０】
そのケース３の前面にはカバーレンズ４が図１（ｂ）、図１（ｃ）に示すように配置されている。ケース３にはランプスイッチとしてのスライド式スイッチ５が設けられ、このスライド式スイッチ５と白色照明用ランプ１及び有色照明用ランプ２との電気的接続関係は図２に示す構成とされている。
【００１１】
その図２において、６はスライド式スイッチ５の可動接点、７ないし１０は固定接点である。白色照明用ランプ１と有色照明用ランプ２との一側には電源供給線１１によりＤＣ電源電圧１２ボルトが与えられている。白色照明用ランプ１の他側は接続線１２によって固定接点８に接続され、有色照明用ランプ２の他側は接続線１３によって固定接点９に接続されている。固定接点７は接続線１４によってアースされ、固定接点１０は接続線１５及びこの接続線１５の途中に設けられてドアを開くとオンされかつドアを閉じるとオフされるドアスイッチ１６を介してアースされている。
【００１２】
この発明の実施の形態１によれば、可動接点６を固定接点７と固定接点８とに接続して常灯側とすると、白色照明用ランプ１が常灯されて室内が白色照明光により照明され、可動接点６を固定接点８と固定接点９とに接続すると白色照明用ランプ１と有色照明用ランプ２とが消灯され、可動接点６を固定接点９と固定接点１０とに接続してドア側とするとドアスイッチ１６がオンしたときに有色照明用ランプ２が点灯する。
【００１３】
また、この発明の実施の形態１によれば、白色照明用ランプ１の直射光Ｐの大部分が有色照明用ランプ２に当たらずに直接カバーレンズ４に向かうことになるので、有色照明用ランプ２を白色照明用ランプ１と並設してケース３内に設けたとしても、白色照明用ランプ１の照明光が有色照明用ランプ２の存在に基づき着色されるのを防止できる。
【００１４】
図３はスライド式スイッチ５と白色照明用ランプ１及び有色照明用ランプ２との電気的接続関係の変形例を示し、この変形例では、固定接点７の接続線１４の途中に白色照明用ランプ１を設け、固定接点８に電源供給線１１を介してＤＣ電源電圧１２ボルトを印加し、固定接点９のアースに接続された接続線１７の途中に有色照明用ランプ２とドアスイッチ１６とを介在させ、固定接点１０をダミーとしたものである。
【００１５】
この電気的接続関係によれば、可動接点６を固定接点７と固定接点８に接続すれば常灯側となって、白色照明用ランプ１のみが常灯し、可動接点６を固定接点８と固定接点９とに接続すればドア側となって、ドアが開かれたときにのみ有色照明用ランプ２が点灯し、可動接点６を固定接点９と固定接点１０とに接続すれば、白色照明用ランプ１と有色照明用ランプ２とが消灯する。
【００１６】
【発明の実施の形態２】
図４は本発明に係わるルームランプの点灯装置の発明の実施の形態２を示し、この発明の実施の形態２では、図４（ｂ）、図４（ｃ）に示すように、白色照明用ランプ１と有色照明用ランプ２とのケース３の底壁１８からの高さを同一とする一方、図４（ａ）、図４（ｂ）に示すように、底壁１８に遮光板１９を設け、白色照明用ランプ１から出射されて有色照明用ランプ２に向かう照明光Ｐ´を遮光することとしたものである。その遮光板１９の底壁１８からその頂部までの高さは、底壁１８から白色照明用ランプ１及び有色照明用ランプ２の頂部までの高さとほぼ同じとされ、白色照明用ランプ１からカバーレンズ４に向かう照明光Ｐ及び有色照明用ランプ２からカバーレンズ４に向かう照明光Ｐが遮光板１８により極力遮光されないようになっている。
【００１７】
この発明の実施の形態２によれば、簡単な構成でかつ確実に白色照明用ランプ１の照明光が有色照明用ランプ２により着色されないようにすることができる。
【００１８】
【発明の効果】
本発明は、以上説明したように構成したので、常灯用の白色照明用ランプとドアが開いているときにオンされるドアスイッチに基づき点灯可能な有色照明用ランプとをカバーレンズ付きのケース内に設ける構成とした際、白色照明用ランプの照明光が極力有色照明用ランプにより着色されないようにすることができるという効果を奏する。
【図面の簡単な説明】
【図１】  本発明に係わるルームランプの点灯装置の発明の実施の形態１を示し、（ａ）はその概要を示す平面図、（ｂ）は（ａ）のＡ−Ａ線に沿う断面図、（ｃ）は（ａ）のＢ−Ｂ線に沿う断面図である。
【図２】  図１に示すルームランプの点灯装置の電気的接続関係の一例を示す電気回路図である。
【図３】  図１に示すルームランプの点灯装置の電気的接続関係の他の例を示す電気回路図である。
【図４】  本発明に係わるルームランプの点灯装置の発明の実施の形態２を示し、（ａ）はその概要を示す平面図、（ｂ）は（ａ）のＣ−Ｃ線に沿う断面図、（ｃ）は（ａ）のＤ−Ｄ線に沿う断面図である。
【符号の説明】
１…白色照明用ランプ
２…有色照明用ランプ
３…ケース
４…カバーレンズ
１６…ドアスイッチ
【図１】
0003849193.tif 000002
【図２】
0003849193.tif 000003
【図３】
0003849193.tif 000004
【図４】
0003849193.tif 000005